(57)【要約】      （修正有）【課題】お太鼓部の山状折返部若しくは谷状折返部、又は、山状折返部及び谷状折返部の上下の位置移動によりお太鼓上辺部の位置レベルを上下調節して一対の面ファスナーにより固定することができる軽装帯を提供する。【解決手段】胴巻用の帯板部１及びお太鼓部２からなり、お太鼓部は、下方の垂れ部２ａから上方に向いて山状折返部２ｂで下方に折り返される背負上げ部２ｃ、背負上げ部から谷状折返部２ｄで外側上方に折り返されるお太鼓面部２ｅ及びお太鼓面部からお太鼓上辺部２ｆで山状に下方に折り返されて帯板部に至る立上部２ｇからなり、垂れ部の外側面と背負上げ部の内側面とを固定する相互に着脱自在な一対の面ファスナーＥを設け、山状折返部若しくは谷状折返部、又は、山状折返部及び谷状折返部の上下の位置移動によりお太鼓上辺部の位置レベルを上下調節自在に設ける。【選択図】図１
0003154533.tif 000002
【実用新案登録請求の範囲】
【請求項１】
胴巻用の帯板部及びお太鼓部からなり、上記お太鼓部は、下方の垂れ部から上方に向いて山状折返部で下方に折り返される背負上げ部、該背負上げ部から谷状折返部で外側上方に折り返されるお太鼓面部及び該お太鼓面部からお太鼓上辺部で山状に下方に折り返されて上記帯板部に至る立上部からなり、上記垂れ部の外側面と上記背負上げ部の内側面とを固定する相互に着脱自在な一対の面ファスナーを設け、上記山状折返部若しくは上記谷状折返部、又は、該山状折返部及び該谷状折返部の上下の位置移動により上記お太鼓上辺部の位置レベルを上下調節自在に設けてなることを特徴とする軽装帯。
【請求項２】
胴巻用の帯板部及びお太鼓部からなり、上記お太鼓部は、下方の垂れ部から上方に向いて山状折返部で下方に折り返される背負上げ部、該背負上げ部から谷状折返部で外側上方に折り返されるお太鼓面部及び該お太鼓面部からお太鼓上辺部で山状に下方に折り返されて上記帯板部に至る立上部からなり、上記帯板部の端部に手先部が設けられ、該手先部は上記背負上げ部の外側面とお太鼓面部の内側面との間の挿通部に挿通され、該手先部を挿通部に固定する相互に着脱自在な一対の面ファスナーを設け、該お太鼓面部から突出する手先部の手部の突出長を調節自在に設けてなることを特徴とする軽装帯。
【請求項３】
上記帯板部及びお太鼓部は一枚の帯地からなることを特徴とする請求項１又は２記載の軽装帯。
【考案の詳細な説明】
【技術分野】
【０００１】
本考案は、例えば、友達同士の集まり、宴会、長期旅行などにおいて、気軽に、簡易に、身軽に装える和服用の軽装帯に関するものである。
【背景技術】
【０００２】
従来、この種の軽装帯として、胴巻用の帯板部及びお太鼓部からなり、帯板部とお太鼓部とを一体にした一部式軽装帯や帯板部とお太鼓部とを別体にした二部式軽装帯が知られている。
【先行技術文献】
【特許文献】
【０００３】
【特許文献１】実用新案登録第３０５７８２９号公報
【考案の概要】
【考案が解決しようとする課題】
【０００４】
しかしながらこの従来構造の場合、上記お太鼓部のお太鼓上辺部の位置レベルや、お太鼓面部から突出する手先部の手部の突出長は固定的であり、着用者の体格や好みに応じて任意に変更することができず、それだけ、使用の融通性が低下しているという不都合を有している。
【課題を解決するための手段】
【０００５】
本考案はこれらの不都合を解決することを目的とするもので、本考案のうちで、請求項１記載の考案は、胴巻用の帯板部及びお太鼓部からなり、上記お太鼓部は、下方の垂れ部から上方に向いて山状折返部で下方に折り返される背負上げ部、該背負上げ部から谷状折返部で外側上方に折り返されるお太鼓面部及び該お太鼓面部からお太鼓上辺部で山状に下方に折り返されて上記帯板部に至る立上部からなり、上記垂れ部の外側面と上記背負上げ部の内側面とを固定する相互に着脱自在な一対の面ファスナーを設け、上記山状折返部若しくは上記谷状折返部、又は、該山状折返部及び該谷状折返部の上下の位置移動により上記お太鼓上辺部の位置レベルを上下調節自在に設けてなることを特徴とする軽装帯にある。
【０００６】
又、請求項２記載の考案にあっては、胴巻用の帯板部及びお太鼓部からなり、上記お太鼓部は、下方の垂れ部から上方に向いて山状折返部で下方に折り返される背負上げ部、該背負上げ部から谷状折返部で外側上方に折り返されるお太鼓面部及び該お太鼓面部からお太鼓上辺部で山状に下方に折り返されて上記帯板部に至る立上部からなり、上記帯板部の端部に手先部が設けられ、該手先部は上記背負上げ部の外側面とお太鼓面部の内側面との間の挿通部に挿通され、該手先部を挿通部に固定する相互に着脱自在な一対の面ファスナーを設け、該お太鼓面部から突出する手先部の手部の突出長を調節自在に設けてなることを特徴とする軽装帯にある。
【０００７】
又、請求項３記載の考案は、上記帯板部及びお太鼓部は一枚の帯地からなることを特徴とするものである。
【考案の効果】
【０００８】
本考案は上述の如く、請求項１記載の考案にあっては、お太鼓部の山状折返部若しくは上記谷状折返部、又は、該山状折返部及び該谷状折返部の上下の位置移動により上記お太鼓上辺部の位置レベルを上下調節して一対の面ファスナーにより固定することにより、お太鼓上辺部の位置レベルを着用者の体格や好みに応じて任意に変更することができ、使用の融通性を高めることができる。
【０００９】
又、請求項２記載の考案にあっては、お太鼓面部から突出する手先部の手部の突出長を調節して一対の面ファスナーにより固定することにより、お太鼓面部から突出する手先部の手部の突出長を着用者の体格や好みに応じて任意に変更することができ、使用の融通性を高めることができる。
【００１０】
又、請求項３記載の考案にあっては、上記帯板部及びお太鼓部は一枚の帯地からなるので、元の長尺の帯地に戻すことができ、再利用を図ることができる。
【図面の簡単な説明】
【００１１】
【図１】本考案の実施の形態例の全体斜視図である。
【図２】本考案の実施の形態例の全体斜視図である。
【図３】本考案の実施の形態例の全体斜視図である。
【図４】本考案の実施の形態例の裏面図である。
【図５】本考案の実施の形態例の部分拡大縦断面図である。
【図６】本考案の実施の形態例の部分拡大平断面図である。
【図７】本考案の実施の形態例の説明斜視図である。
【図８】本考案の実施の形態例の説明斜視図である。
【図９】本考案の実施の形態例の使用状態図である。
【考案を実施するための形態】
【００１２】
図１乃至図９は本考案の実施の形態例を示し、１は胴巻用の帯板部、２はお太鼓部であり、このお太鼓部２は、下方の垂れ部２ａから上方に向いて山状折返部２ｂで下方に折り返される背負上げ部２ｃ、背負上げ部２ｃから谷状折返部２ｄで外側上方に折り返されるお太鼓面部２ｅ及びお太鼓面部２ｅからお太鼓上辺部２ｆで山状に下方に折り返されて上記帯板部１に至る立上部２ｇからなり、上記垂れ部２ａの外側面と上記背負上げ部２ｃの内側面とを固定する相互に着脱自在な一対の面ファスナーＦ・Ｆを設け、山状折返部２ｂ若しくは谷状折返部２ｄ、又は、山状折返部２ｂ及び谷状折返部２ｄの上下の位置移動により上記お太鼓上辺部２ｆの位置レベルを矢印のように上下調節自在に設けて構成している。
【００１３】
又、この場合、上記帯板部１の端部に手先部３が設けられ、手先部３は上記背負上げ部２ｃの外側面と上記お太鼓面部２ｅの内側面との間の挿通部２ｈに挿通され、手先部３を挿通部２ｈに固定する相互に着脱自在な一対の面ファスナーＨ・Ｈを設け、この場合、上記背負上げ部２ｃの外側面及び上記手先部３の内側面にそれぞれ面ファスナーＨ・Ｈを取付け、お太鼓面部２ｅから突出する手先部３の手部３ａの突出長を矢印のように調節自在に設けて構成している。
【００１４】
この場合、上記帯板部１及びお太鼓部２は一枚の帯地Ｇにより製作され、即ち、図７の如く、一枚の長尺の帯地Ｇを折返部Ｋで半幅に折り返して折返半幅帯地に形成し、この折返半幅帯地を折返部Ｓで折り返して内外に重ね合わせ、この折返部Ｓを縫着して帯板部１の一方の端部となすと共に折り返して重ね合わせた内側の折返半幅帯地の端部を手先部３に形成して帯板部１の他方端部になし、一方、折り返して重ね合わせた外側の折返半幅帯地を三角状折曲部Ｄにより上方に立ち上げて上記立上部２ｇを形成し、立上部２ｇに上記お太鼓上辺部２ｆ、お太鼓面部２ｅ、谷状折返部２ｄ、背負上げ部２ｃ、山状折返部２ｂ、垂れ部２ａを順次形成し、垂れ部２ａ、三角状折曲部Ｄ及び帯板部１を重ねて縫着し、この帯板部１の重ね部位の内面と帯板部１の一方の端部たる折返部Ｓとを固定する相互に着脱自在な一対の面ファスナーＥ・Ｅを設けて構成している。
【００１５】
この実施の形態例は上記構成であるから、お太鼓部２の山状折返部２ｂ若しくは上記谷状折返部２ｄ、又は、山状折返部２ｂ及び谷状折返部２ｄの上下の位置移動、この場合、山状折返部２ｂのみの上下の位置移動により背負い上部２ｃを回してお太鼓上辺部２ｆの位置レベルを上下調節して一対の面ファスナーＦ・Ｆにより固定することにより、図３、図４の矢印Ｒの如く、お太鼓上辺部２ｆの位置レベルを着用者の体格や好みに応じて任意に変更することができ、使用の融通性を高めることができる。
【００１６】
尚、この場合、山状折返部２ｂのみの上下の位置移動によりお太鼓面部２ｅを回し上げてお太鼓上辺部２ｆの位置レベルを上下調節しているが、上記谷状折返部２ｄのみの上下の位置移動、又は、山状折返部２ｂ及び谷状折返部２ｄの双方の位置移動により背負い上部２ｃを回してお太鼓上辺部２ｆの位置レベルを上下調節するようにもできる。
【００１７】
又、この場合、お太鼓面部２ｅから突出する手先部３の手部３ａの突出長を調節して一対の面ファスナーＨ・Ｈにより固定することにより、図３、図４の矢印Ｃの如く、お太鼓面部２ｅから突出する手先部３の手部３ａの突出長を着用者の体格や好みに応じて任意に変更することができ、使用の融通性を高めることができる。
【００１８】
又、この場合、上記帯板部１及びお太鼓部２は一枚の帯地Ｇからなるので、元の長尺の帯地Ｇに戻すことができ、再利用を図ることができる。
【００１９】
尚、本考案は上記の形態例に限られるものではなく、上記帯板部１、お太鼓部２、手先部３、面ファスナーＦ・Ｈ・Ｅの材質や形態、構造等は適宜変更して設計されるものである。
【００２０】
以上の如く、所期の目的を充分達成することができる。
【符号の説明】
【００２１】
Ｆ    面ファスナー
Ｈ    面ファスナー
Ｇ    帯地
１    帯板部
２    お太鼓部
２ａ    垂れ部
２ｂ    山状折返部
２ｃ    背負上げ部
２ｄ    谷状折返部
２ｅ    お太鼓面部
２ｆ    お太鼓上辺部
２ｇ    立上部
２ｈ    挿通部
３    手先部
３ａ    手部
【図１】
0003154533.tif 000003
【図２】
0003154533.tif 000004
【図３】
0003154533.tif 000005
【図４】
0003154533.tif 000006
【図５】
0003154533.tif 000007
【図６】
0003154533.tif 000008
【図７】
0003154533.tif 000009
【図８】
0003154533.tif 000010
【図９】
0003154533.tif 000011